(57)【特許請求の範囲】
【請求項１】
遊技球を遊技領域に発射する発射手段を備えた遊技機に取り付けられ、該発射手段に発射強度を指令する発射強度調整ハンドルにおいて、
上記遊技機に取り付けられた固定部材と、
上記固定部材に沿って移動可能に取り付けられ、移動量に応じた、引き戻そうとする力を受けるとともに、移動量に応じて上記発射手段に発射強度を指令する可動部材と、
上記固定部材と、上記可動部材とによって形成され、所定の収納形状を有する収納部とを備え、
上記収納部は、
上記固定部材、及び上記可動部材のうちの一方に設けられ、被収納物を保持する保持部と、上記固定部材、及び上記可動部材のうちの上記一方ではない側に設けられ、上記保持部材に対向する移動面を有する移動部とから構成され、
上記可動部材が、遊技球の発射を停止する位置から、発射強度が最大の位置まで移動するのに応じて、上記移動面と上記保持部との距離が、徐々に減少し、上記被収納物から上記保持部及び上記移動面に加えられる応力が徐々に大きくなることを特徴とする発射強度調整ハンドル。
【請求項２】
上記移動面は、半径が徐々に変化する曲面形状を有する請求項１に記載の発射強度調整ハンドル。
【発明の詳細な説明】
【技術分野】
【０００１】
本発明は、遊技機に取り付けられ、遊技球を発射する発射手段に発射強度を指令する発射強度調整ハンドルに関する。
【背景技術】
【０００２】
従来、発射強度調整ハンドルは、遊技球の発射強度を所望の状態にするために用いられるが、この発射強度を所望の状態に保持するためには、固定部材に回動可能に取り付けられた可動部材を同じ位置で保持する必要がある。ところが、この可動部材は、回動自在であることに加え、常に発射強度を弱くする方向に引き戻される様に構成されているため、可動部材を同一状態で保持することは、難しく、且つ遊技者に負担を強いることになる。そこで、可動部材を遊技球で固定出来るようにすることで、遊技者の負担を低減しようとした技術が開示されている。
【０００３】
このような技術では、可動部材を遊技球で固定するために、可動部材の指止めに当たる部分に遊技球を収納する収納部を形成し、この収納部に遊技球を収納しておくと、可動部材を回動操作した場合に、遊技球が円形に成形された固定部材の外周に押しつけられて、可動部材が逆戻りし難くなるものや（特許文献１参照。）、固定部材側にメダルやコインなどの板状部材を収納する凹状の収納部を形成し、この収納部に板状部材を収納しておくと、可動部材を回動操作した場合に、板状部材が円形に成形された可動部材の内周に押しつけられて、可動部材が逆戻りし難くなるものがある（特許文献２参照）。
【特許文献１】特開平８−１９６６９６号  公報  図１、図２
【特許文献２】特開２００２−２１００９７号  公報  図２、図６
【発明の開示】
【発明が解決しようとする課題】
【０００４】
しかしながら、この様な従来の技術では、遊技球の発射強度を変更して、所望の位置を狙ったり、或いは右打ちを強いる遊技状態に対応して遊技球の発射強度を最大にしたりするなどの可動部材を停止位置から最大位置までの間で、移動させて固定する場合に、可動部材の操作感と発射強度との乖離があったり、遊技機の耐久性を低下させる要因となる虞があった。
【０００５】
例えば、発射強度調整ハンドルは、何も操作をしていない状態では、停止位置になるように可動部材が、バネなどで引っ張られており、遊技球の発射強度を強くする程、その引っ張られる力が増大する。これにより、可動部材の操作力が大きくなる程、発射強度が増大することになり、発射強度と、発射強度調整ハンドルの操作感とが一致する。
【０００６】
ところが、従来の固定方法で、可動部材を固定した場合には、可動部材の操作力が発射強度「０」の場合も最大の場合もほぼ同じものとなっており、可動部材の操作感と発射強度とが一致しなくなる。
【０００７】
又、遊技場に取り付けた時点では、発射強度「０」から最大の範囲の何れの箇所でも可能部材の固定が適切に行われるようになっていたとしても、長年の使用による摩耗や劣化などで、徐々に固定強度が低下し、発射強度を強くすると、固定した可動部材が徐々にズレてしまって、所望の発射強度を維持できなくなる場合が考えられる。
【０００８】
そこで、本発明では、可動部材の操作感と、発射強度との乖離をなくすることと、摩耗や劣化が進んでも可動部材の固定が適切に行われる様にすることで、遊技機の操作感の向上と、耐久性の向上とを図ることを目的とする。
【課題を解決するための手段】
【０００９】
上記課題を解決するための手段として、請求項１の発明の発射強度調整ハンドルは、遊技球を遊技領域に発射する発射手段を備えた遊技機に取り付けられ、該発射手段に発射強度を指令する発射強度調整ハンドルにおいて、上記遊技機に取り付けられた固定部材と、上記固定部材に沿って移動可能に取り付けられ、移動量に応じた、引き戻そうとする力を受けるとともに、移動量に応じて上記発射手段に発射強度を指令する可動部材と、上記固定部材と、上記可動部材とによって形成され、所定の収納形状を有する収納部とを備え、上記収納部は、上記固定部材、及び上記可動部材のうちの一方に設けられ、被収納物を保持する保持部と、上記固定部材、及び上記可動部材のうちの上記一方ではない側に設けられ、上記保持部材に対向する移動面を有する移動部とから構成され、上記可動部材が、遊技球の発射を停止する位置から、発射強度が最大の位置まで移動するのに応じて、上記移動面と上記保持部との距離が、徐々に減少し、上記被収納物から上記保持部及び上記移動面に加えられる応力が徐々に大きくなることを要旨とする。
【００１０】
これにより、収納部を構成する固定部材と可動部材とは、相互に移動可能であり、それらの一方が被収納物を保持する保持部となり、他方が移動部を構成する。
例えば、固定部材が保持部ならば、可動部材が移動部を構成し、反対に、固定部材が移動部ならば、可動部材が保持部を構成する。
【００１１】
この様に保持部と移動部とが相互に移動する収納部に所定の形状を有する被収納物を収納すると、被収納物は、保持部と移動部とに押圧を加え、その押圧に応じた移動に対する抵抗力を固定部材と可動部材との間に発生する。
【００１２】
一方、保持部と移動部との距離が可動部材の移動位置に応じて変更されるため、固定部材と可動部材との間に発生する移動に対する抵抗力は、可動部材の移動位置に応じて変更される。例えば、可動部材を一方向に移動させるに伴って、徐々に抵抗力が増大し、反対方向に戻す方向に移動させるに伴って、徐々に抵抗力が減少する様にすることが可能になる。これにより、発射強度の増加に伴って、操作に必要な力が大きくなり、かつ固定強度も増加する。
【００１３】
請求項２の発明の発射強度調整ハンドルは、上記移動面は、半径が徐々に変化する曲面形状を有する請求項１に記載の発射強度調整ハンドルを要旨とする。
【００１４】
これにより、収納部を構成する固定部材と可動部材とは、相互に移動可能であり、それらの一方が被収納物を保持する保持部となり、他方が移動面を有する移動部を構成する。
例えば、固定部材が保持部ならば、可動部材に移動面が構成され、反対に、固定部材に移動面が有れば、可動部材が保持部を構成する。
【００１５】
この様に保持部と移動面とが相互に移動する収納部に所定の形状を有する被収納物を収納すると、被収納物は、保持部と移動面とに押圧を加え、その押圧に応じた移動に対する抵抗力を固定部材と可動部材との間に発生する。
【００１６】
一方、保持部と移動面との距離は、半径に応じて変更するため、固定部材と可動部材との間に発生する移動に対する抵抗力は、可動部材の移動位置、つまり回転位置に応じて徐々に増加、或いは減少する。
【発明の効果】
【００２１】
請求項１の発明の発射強度調整ハンドルは、固定部材と可動部材との間に発生する移動に対する抵抗力を、可動部材の移動位置に応じて変更出来ることから、例えば、可動部材を発射強度が強くなる方向に移動させるのに伴って、徐々に抵抗力が増大し、戻す方向に移動させるのに伴って、徐々に抵抗力が減少する様にすることも可能になる。
【００２２】
これにより、遊技球の発射強度が強くなる程、可動部材の操作に要する力が大きくなり、可動部材の操作感と発射強度とが一致して、可動部材の操作感に違和感を感じることがなくなり、遊技機の操作感が向上する。
【００２３】
又、可動部材を引き戻そうとする力が大きくなる程、可動部材を固定する力が増加するため、長年の使用で、摩耗や劣化などが発生し、可動部材の固定強度が低下したとしても、可動部材の固定位置が保持され、所望の発射強度の維持が可能になる。つまり、耐久性が向上される。
【００２４】
この結果、遊技機の操作感の向上と、耐久性の向上とを揃って達成できるという極めて優れ効果を奏する。
請求項２の発明の発射強度調整ハンドルは、固定部材と可動部材との間に発生する移動に対する抵抗力を、可動部材の回転位置に応じて徐々に増加、或いは減少出来ることから、例えば、可動部材を発射強度が強くなる方向に回転させるのに伴って、徐々に抵抗力が増大し、戻す方向に移動させるのに伴って、徐々に抵抗力が減少する様にすることも可能になる。
【００２５】
これにより、遊技球の発射強度が強くなる程、可動部材の回転操作に要する力が大きくなり、可動部材の回転操作感と発射強度とが一致して、可動部材の操作感に違和感を感じることがなくなり、遊技機の操作感が向上する。
【００２６】
又、可動部材を引き戻そうとする力が大きくなる程、可動部材を固定する力が増加するため、長年の使用で、摩耗や劣化などが発生し、可動部材の固定強度が低下したとしても、可動部材の固定位置が保持され、所望の発射強度の維持が可能になる。つまり、耐久性が向上される。
【００２７】
この結果、遊技機の操作感の向上と、耐久性の向上とを揃って達成できるという極めて優れ効果を奏する。
請求項３の発明の発射強度調整ハンドルは、請求項２と同様の優れた効果が得られることに加え、想定する被収納物の形態に応じて、慣用されている発射強度調整ハンドルの形態を大きく変更することなく、適切な固定が可能になり、設計の自由度が向上されると言う極めて優れた効果を奏する。
【発明を実施するための最良の形態】
【００２９】
次に発明の実施の形態を説明する。
図１は、遊技機としてのパチンコ機１を前面側から見た正面図である。
パチンコ機１は、慣用されている外枠３と、内枠５と、発射強度調整ハンドル７と、遊技盤９と、鍵飾り１１と、停止ボタン１３と、特別図柄表示装置１５と、始動口２３と、大入賞口２５と、上受け皿２７と、スピーカ２９とを備えている。この構成により、発射強度調整ハンドル７を操作することによって、所望の発射強度に調整された遊技球１７が矢印ＹＡで示すように遊技盤９の遊技面１９に発射されて、始動口２３に遊技球１７が入ると、特別図柄表示装置１５による特別図柄の提供などのパチンコ遊技が提供される。尚、パチンコ機１の構成は、どの様な構成のものであっても良い。又、特にパチンコ遊技に限るものでもない。
【００３０】
図２は発射強度調整ハンドル７の外観図であって、図２の（Ａ）が正面図、図２の（Ｂ）が右側面図、図２の（Ｃ）が背面図、図３は、発射強度調整ハンドル７の組み立て説明図である。
【００３１】
発射強度調整ハンドル７は、桶状の基部３１と、椀状部３３とが合わさった形状に整形された後側支持部材３５と、この後側支持部材３５の椀状部３３に合わされる椀状の前側支持部材３７とが組み合わされて、相互に固定された固定部材３９と、前側支持部材３７と、後側支持部材３５との間に、これら前側支持部材３７と、後側支持部材３５とに沿って回動自在に組み付けられた回転操作部材４１とから構成されている。又、前側支持部材３７は、縁部３７Ａにリング状の金属部３７Ｂを備えている。この金属部３７Ｂは、慣用されているタッチ検出用導体であって、遊技者が発射強度調整ハンドル７を実際に手で操作しているかを検出するためのものである。
【００３２】
固定部材３９を構成する後側支持部材３５は、図２の（Ｃ）に示すようなネジ止め穴４５が３箇所、基部３１の遊技機取付面４３に同心円上に軸対称位置に形成されている。このネジ止め穴４５の間には、図示を省略するリード線用の開口４６が形成されている。
【００３３】
又、基部３１の中心軸には、回転操作部材４１の回転軸４７を通す軸孔４９が形成されている。
この基部３１を取り付ける内枠５の右側下部の図示しないハンドル取付部には、基部３１のネジ止め穴４５に対応したネジ止め穴が形成されると共に、回転操作部材４１の回転軸４７を通す軸用開口が形成されている。
【００３４】
これらにより、発射強度調整ハンドル７は、図示しないハンドル取付部の軸用開口に回転軸４７を通した後、内枠５の裏側（遊技者に面する側と反対側）から図示しない取付ビスによって、内枠５の図示しないネジ止め穴を介して、基部３１のネジ止め穴４５をビス止めすることによって、内枠５に固定される。
【００３５】
内枠５の裏側に通された回転軸４７は、図４に示す遊技球発射装置５１に接続されている。
遊技球発射装置５１は、発射強度調整ハンドル７から指令された発射強度に対応して遊技球１７を発射するものであって、支持部材５２と、支持台５３と、発射機構５５と、発射モータ５７と、発射装置基板５９と、発射強度調整機構６３とを備えている。
【００３６】
これら遊技球発射装置５１の構成は、慣用されているので、詳細な説明は省略するが、発射強度調整ハンドル７の回転軸４７は、発射強度調整機構６３に接続され、回転操作部材４１を右方向（遊技者がパチンコ機１に向かって右回転させる方向）に回転させると、引張スプリング６５が引っ張り強度を増加して、遊技球１７の発射強度を増加させる構成を備えている。
【００３７】
この為、発射強度調整ハンドル７の回転軸４７は、右方向に回転させて、発射強度を増加させる程、引張スプリング６５から強い付勢力を受けることになる。つまり、発射強度調整ハンドル７の回転操作部材４１は、右回転させる程、強い力で回転させる必要があり、その位置を保持するための労力がより必要になる。又、その位置を保持するためには、右回転させる程、より強い力で、回転操作部材４１を固定する必要がある。
【００３８】
このように回転軸４７を介して、発射強度を弱くする方向への付勢力を受ける回転操作部材４１を、図３に示すように、前側支持部材３７と、後側支持部材３５との間に挟んで、回転軸４７を回転の中心にして、回動自在にするために、前側支持部材３７の縁部３７Ａと、後側支持部材３５の縁部３５Ａとの間を、回転操作部材４１が存在する空間分だけ離間させる部材として、前側支持部材３７の後側支持部材３５に面する側に所定長さを有する円柱状の間隔保持凸部材７１が２箇所形成され、後側支持部材３５の椀状部３３内に間隔保持凸部材７１の先端部７１Ａが嵌り込む凹部７３Ａを有すると共に、所定の長さを有する円柱状の間隔保持凹部材７３が２箇所形成されている。又、前側支持部材３７の後側支持部材３５に面する側に間隔保持凸部材７１よりも長い所定長さを有する円柱状の間隔保持凸部材７５が形成され、後側支持部材３５の椀状部３３内に間隔保持凸部材７５の先端部７５Ａが嵌り込む凹部７７Ａを有すると共に、間隔保持凹部材７３よりも短い所定の長さを有する円柱状の間隔保持凹部材７７が形成されている。この間隔保持凸部材７５は、金属部３７Ｂとの間の導電性が確保されており、凹部７７Ａには、発射装置基板５９の図示しないタッチ検出回路のターミナルが介挿されている。このターミナルは、図示しないリード線が図２に示す開口４６を経由して、発射装置基板５９に接続され、遊技者による操作の検出に用いられる。又、このターミナルと、金属部３７Ｂとの間の導通状態を良好に保持するために、この間に図示しない金属製の圧縮バネ部材が介挿され、このバネ部材の中をビス８１が通される。
【００３９】
又、間隔保持凸部材７１の先端部７１Ａには、軸方向にビス穴７１Ｂが形成されており、間隔保持凸部材７５の先端部７５Ａには、軸方向にビス穴７５Ｂが形成されており、間隔保持凹部材７３の軸方向には、椀状部３３から通し穴７３Ｂが形成され、間隔保持凹部材７７の軸方向には、椀状部３３から通し穴７７Ｂが形成されている。これらの３箇所の通し穴７３Ｂ、７３Ｂ、７７Ｂは、図２の（Ｃ）に示すように、軸孔４９を中心にして、同心円上に、軸対称位置に配設され、前側支持部材３７と、後側支持部材３５との固定が均等になるようにされている。
【００４０】
以上の構成により、前側支持部材３７と、後側支持部材３５との間に回転操作部材４１を挟んで、通し穴７３Ｂにビス７９を通して、ビス７９をビス穴７１Ｂにビス止めすることで、前側支持部材３７と、後側支持部材３５とが間隔保持凸部材７１と、間隔保持凹部材７３とによって、離間された状態で組み立て、固定される。又、通し穴７７Ｂにビス８１を通して、ビス８１をビス穴７５Ｂにビス止めすることで、前側支持部材３７と、後側支持部材３５とが間隔保持凸部材７５と、間隔保持凹部材７７とによって、離間された状態で組み立て、固定されると共に、金属部３７Ｂが発射装置基板５９の図示しないタッチ検出回路のターミナルに電気的に接続された状態になる。
【００４１】
前側支持部材３７と、後側支持部材３５との間に介挿される回転操作部材４１は、図５の（Ａ）の正面図、（Ｂ）の右側面図、（Ｃ）の背面図に示すように、円盤状の回転板８３と、回転板８３の外周部にリング状に形成された帯リング８５と、帯リング８５の外周側に、指止め状に形成された収納部８７と、指止め操作部８９、９１と、回転板８３の中心に形成された軸止穴９３と、この軸止穴９３に取り付けられた回転軸４７とを備えている。
【００４２】
回転軸４７の一端部４７Ａは、周溝４７Ｂと、半月キー４７Ｃとが形成されており、他端部４７Ｄは、半月キー４７Ｅが形成されている。
この回転軸４７は、この回転軸４７の半月キー４７Ｃの形状に合致する形状を有する軸止穴９３に一端部４７Ａが挿入され、Ｅ字止め輪９５が周溝４７Ｂに填められることで、回転軸４７と回転板８３との連結が完了され、回転板８３の回転がずれることなく伝達される様に構成されている。
【００４３】
回転軸４７を回転させる回転板８３は、同心状に２箇所の開口９７、９９を備えている。
一方の開口９７は、図３に示す単独存在側の間隔保持凸部材７１ａが通され、他方の開口９９は、他の間隔保持凸部材７１、７５が通される。従って、回転板８３が回転した場合に、同じだけ回転を可能にするため、一方の開口９９の方が他方の開口９７に比べて、間隔保持凸部材７１と、間隔保持凸部材７５との距離分だけ広く開口されている。
【００４４】
これにより、この開口９７、９９を介して、前側支持部材３７と、後側支持部材３５とが所定距離離れて、連結された状態で、回転板８３は、回転軸４７を中心にして、開口９７の回転角度分だけ、自在に回転することが可能になる。
【００４５】
回転板８３の外周にリング状に形成された帯リング８５は、図５に示すように、軸止穴９３を中心にして、円形に整形されており、帯リング８５の内周面８５Ａは、図２（Ｃ）に示すように、後側支持部材３５の椀状部３３の縁部３５Ａの外周面３５Ｂに沿って覆う状態で、組み付けられるように構成されている。つまり、回転操作部材４１を回転させると、帯リング８５が後側支持部材３５の外周面３５Ｂを覆う状態で、沿って回転する。
【００４６】
この外周面３５Ｂは、図７に示す様に、後側支持部材３５の中心軸３５Ｄからの距離が、最短部３５Ｅまで、距離Ｌ１、つまり半径がＬ１有り、最長部３５Ｆまで、距離Ｌ２、つまり半径がＬ２を有し、最短部３５Ｅから最長部３５Ｆまでの間部３５Ｇは、徐々に半径が増加する円弧状に成形されている。尚、外周面３５Ｂの間部３５Ｇ以外の部分は、半径がＬ２未満で有ればどの様な値であっても良いが、ここでは美観状や統一的外観の提供上の理由から、半径がＬ１に成形されている。
【００４７】
又、最短部３５Ｅの位置は、回転操作部材４１の収納部８７が図２に示す位置の場合、つまり回転操作部材４１の位置が、遊技球１７の発射が停止される位置にある場合に一致し、最長部３５Ｆの位置は、収納部８７が図８に示す位置の場合、つまり回転操作部材４１を遊技球１７の発射強度が強くなる方向に回転させた場合に、最大になる位置を越えた位置にされている。これにより、回転操作部材４１を停止位置から右回転をさせた場合に、収納部８７が最短部３５Ｅから移動を開始し、最長部３５Ｆの近傍に達する様になる。
【００４８】
尚、この最短部３５Ｅから最長部３５Ｆまでの間部３５Ｇと、収納部８７との相互作用によって、回転操作部材４１の移動に要する力が徐々に増加すると共に、固定力が徐々に増加する作用を発揮するが、この詳細な説明は、後述する。
【００４９】
この様な半径が変化する外周面３５Ｂの外周を回動する帯リング８５に形成されている収納部８７と、操作部８９、９１とは、図５の（Ｃ）に示すように、この収納部８７と、操作部８８、９１とを回動させる場合の手の状態と、指の形状などを考慮して、指が掛かる箇所に３箇所配設されている。尚、収納部８７と、操作部８８、９１の取付位置は、設計事項であり、実験により、適切な位置を決定する。尚、収納部８７と、操作部８８、９１の数量も、適宜決定される設計事項である。
【００５０】
収納部８７は、遊技者が発射強度調整ハンドル７を操作する場合に、最も左側に位置するものであって、まず、親指が掛かることを想定している。
この収納部８７は、図５の（Ｃ）に示すように、帯リング８５に形成された開口１０１と、この開口１０１および前側支持部材３７側を覆う指当り覆い部１０３と、指当り覆い部１０３から開口１０１方向に形成された突起部１０５と、指当り覆い部１０３の前側支持部材３７側の壁部１０３Ａに取り付けられた球抜き突起部材１０７とを備えている。この球抜き突起部材１０７は、壁部１０３Ａに取り付けられ、図示しないバネ部材によって、常時、図６（図２の（Ａ）に示す発射強度調整ハンドル７のＡ−Ａ断面図）に示す位置に保持されている。又、この球抜き突起部材１０７の一端１０７Ａから他端１０７Ｂ側に押し込むと、球抜き突起部材１０７は、他端１０７Ｂ側に移動するよう構成されている。
【００５１】
収納部８７は、図５および図６の部分断面図に示すように、突起部１０５の先端１０５Ａと、この先端１０５Ａに対向する後側支持部材３５の椀状部３３の縁部３５Ａの外周面３５Ｂと、この外周面３５Ｂに形成された周溝１０９と、開口１０１とによって構成される。
【００５２】
又、収納部８７の突起部１０５の先端１０５Ａの後側支持部材３５側、つまり収納部８７に遊技球１７を挿入する挿入口１０５Ｂに当たる部分は、切り欠いた形状で丸め加工が施されている。しかも、この挿入口１０５Ｂに対向する外周面３５Ｂにも丸め加工が施された丸め加工部３５Ｃが形成されている。
【００５３】
これにより、収納部８７は、図６の（Ｂ）、図７に示すように、遊技球１７を後側支持部材３５側から、挿入口１０５Ｂと丸め加工部３５Ｃとによって、先端１０５Ａと外周面３５Ｂとの間より広められた入口８７Ａに容易に挿入できる構成と、先端１０５Ａと、開口１０１を構成する帯リング８５の２箇所の端部８５Ｂと、図６に示す外周面３５Ｂと、周溝１０９の２箇所の境界部１１１とから構成される。
【００５４】
従って、この収納部８７の特徴は、遊技球１７を入口８７Ａから入れ易いことと、遊技球１７が収納部８７の回転方向に移動することを突起部１０５及び／又は端部８５Ｂによって規制すると共に、収納部８７が回転操作部材４１の回転に伴って移動する場合には、収納部８７と共に、遊技球１７を移動させる機能を有する。
【００５５】
又、図７に示すように、先端１０５Ａと、外周面３５Ｂとの距離より、距離ｄｔだけ直径が大きい遊技球１７を収納部８７に挿入する場合に、この距離ｄｔ分だけ、収納部８７の各部分を歪ませるだけの、押し込む力を要求させる。この場合に、遊技球１７の外形より大きな開口を形成する挿入口１０５Ｂと、丸め加工部３５Ｃによって、遊技球１７を収納部８７に容易に押し込むことが可能になる。
【００５６】
更に、図６の（Ａ）に示すように、収納部８７内に挿入された遊技球１７は、先端１０５Ａと、境界部１１１との距離に応じた応力を後側支持部材３５と、回転操作部材４１との間に加え、この応力に応じて、回転操作部材４１の回転の阻止力を発生する。つまり、先端１０５Ａと、境界部１１１との距離が小さい程、回転操作部材４１を回転させるために、大きな力を必要とする。尚、これらの諸元は、設計事項であり、各部の材質や寸法などによって変化する。従って、適切な値は、実験によって求める。
【００５７】
又、遊技球１７は、周溝１０９に嵌り込んで、この周溝１０９内に留められるため、この周溝から遊技球１７を取り去るには、先端１０５Ａと、外周面３５Ｂとの距離より、距離ｄｔだけ直径が大きい遊技球１７を収納部８７から強く押し出すか、引き出す必要がある。従って、一度、収納部８７に遊技球１７を入れると、回転操作部材４１を回転させただけでは、遊技球１７が落下したり、脱落したりすることはなく、回転操作部材４１の固定を継続する。従って、遊技者は、安心して、遊技を継続することが出来る。
【００５８】
この様に収納部８７に入った遊技球１７を取り出すには、所定の力が必要であるが、収納部８７は、壁部１０３Ａを有しており、遊技球１７を前側支持部材３７側から指などでそのまま押し出すことが出来ない。又、収納部８７は、入口８７Ａが後側支持部材３５側の１面だけであり、図６に示すようにこの入口８７Ａ部分から、奥に遊技球１７が入り込んでいる。従って、遊技球１７を指で引っ張り出すことが出来ない。無理に出そうとすれば、棒状のものでこじて出す必要があり、収納部８７を破損する可能性がある。
【００５９】
この様な場合に、壁部１０３Ａに取り付けられた球抜き突起部材１０７の一端１０７Ａを他端１０７Ｂ側に押し込むことで、遊技球１７を入口８７Ａ側に押し出して、簡単に収納部８７から遊技球１７を取り出すことが可能になる。
【００６０】
このように発射強度を操作するために用いる回転操作部材４１は、図２に示す位置が発射強度が「０」、即ち発射停止位置であり、図８の（Ａ）（Ｂ）（Ｃ）に示す位置が発射強度が最大の位置である。従って、回転操作部材４１は、図２に示す位置から矢印ＹＢ方向に図８に示す位置までの間で、移動し、或いは図８に示す矢印ＹＣ方向に回転移動して、遊技球発射装置５１に発射強度を指令する。ここで、矢印ＹＢ方向に移動すると、発射強度が増大し、矢印ＹＣ方向に移動すると発射強度が低下する。
【００６１】
この場合に、収納部８７に遊技球１７を収納させると、図２に示す位置が先端１０５Ａと境界部１１１との距離が最も長くなって、最も軽い力で、回転操作部材４１を回動させることが出来、この位置から矢印ＹＢ方向に回転するに従って、先端１０５Ａと境界部１１１との距離が徐々に短くなり、徐々に回転させるのに要する力が増大する。しかも、回転操作部材４１を図２に示す位置から、図８に示す位置の何れの箇所で、手を離してもその位置を保持すると共に、矢印ＹＢ方向に移動する程、回転操作部材４１を固定する強度が増大する。
【００６２】
以上に説明した発射強度調整ハンドル７は、固定部材３９と回転操作部材４１との間に発生する移動に対する抵抗力を、回転操作部材４１を遊技球１７の発射強度が強くなる程、大きくすることが出来ることから、遊技球１７の発射強度が強くなる程、回転操作部材４１の操作に要する力が大きくなり、回転操作部材４１の操作感と発射強度とが一致して、回転操作部材４１の操作感に違和感を感じることがなくなり、パチンコ機１の操作感が向上する。
【００６３】
又、回転操作部材４１を引き戻そうとする力が大きくなる程、回転操作部材４１を固定する力が増加するため、長年の使用で、摩耗や劣化などが発生し、回転操作部材４１の固定強度が低下したとしても、回転操作部材４１の固定位置が保持され、所望の発射強度の維持が可能になる。つまり、耐久性が向上される。
【００６４】
この結果、パチンコ機１の操作感の向上と、耐久性の向上とを揃って達成できるという極めて優れ効果を奏する。
又、パチンコ機１は、球抜き突起部材１０７を押すだけで、収納部８７に収納した遊技球１７を取り外すことが容易にでき、遊技状態に応じて固定強度を変更する作業が容易になる。
【００６５】
しかも、発射強度調整ハンドル７は、回転操作部材４１を操作しても収納部８７に収納された遊技球１７が緩んだり脱落したりせずに、回転操作部材４１と固定部材３９とを固定した状態を維持することから、回転操作部材４１による固定を望んでいる間は、予期せずに回転操作部材４１による固定が外れるといったことがなくなって、パチンコ機１の操作感が向上され、顧客満足度が向上されるという極め優れた効果を奏する。
【００６６】
その上、発射強度調整ハンドル７は、遊技球１７の脱落を防止する構成が周溝１０９だけで得られ、部品数の増加や製造工数の増加を抑えることができるという極めて優れた効果を奏する。
【００６７】
又、発射強度調整ハンドル７は、広められた入口８７Ａにより、収納部８７に遊技球１７を入れ易くなると言う効果を奏する。
しかも、この入口８７Ａは、切り欠いて丸めた形状に加工するだけで得られ、部品点数の増大防止と、加工工数の増大防止とを図ることが出来るという極めて優れた効果を奏する。
【００６８】
尚、本発明は、上記の実施の形態に限定されるものでなく、本発明の要旨を変更しない範囲で、様々な態様の実施が可能である。
例えば、被収納物としては、遊技球１７に限るものでなく、メダルやコイン、厚紙、紙を折り曲げたものなどを想定し、収納形状を間隙状のものとしても良い。
【００６９】
又、固定部材３９は、前側支持部材３７と、後側支持部材３５との２体を組み合わせたものでも良く、或いは前側、或いは後側の別のない１体式のものであっても良い。
収納部８７の入口８７Ａが後側（遊技機１側）から遊技球１７を入れるように形成されているが、これに替えて、前側（遊技者側）から遊技球１７を入れるように形成されていても良い。又、後側、及び前側の両方から出し入れ可能にしても良いし、或いは後から遊技球１７を入れて、前側に出す構造、つまり後側に角を落とした入口８７Ａを形成し、前側も開口にする構造にしたり、前側から遊技球１７を入れて、後側から出す構造、つまり前側に角を落とした入口８７Ａを形成し、後側を開口にした構造にしても良い。
【００７０】
しかも、固定部材３９の外周面３５Ｂに板状のメダルを収納する収納部を形成し、回転操作部材４１の内周面８５Ａを、回転操作部材４１を右側に回す程、内径側に拡大する形状にしても良い。この場合には、固定部材３９に被収納物が保持される保持部が形成され、回転操作部材４１に移動部が構成されることになる。又、固定部材３９の外周面３５Ｂに遊技球１７を、挿入する穴や溝を形成し、挿入した遊技球１７の一部分が回転操作部材４１の内周面８５Ａに当接する様にしても良い。
【００７１】
また、回転操作部材４１の回転操作により遊技球１７が外れてしまうのを防止するための構造として周溝１０９（境界部１１１）を示したが、遊技球１７の入口８７Ａ側に位置する面（図６（Ａ）に示す遊技球１７の右半分の面）を支持する構造のものであれば良く、また、このような構造を突起部１０５（先端１０５Ａ）にも、又は突起部１０５（先端１０５Ａ）だけに設けても良い。
【００７２】
次に特許請求の範囲の構成と、発明の実施の形態との対応を説明する。
請求項１の発明の発射強度調整ハンドルは、発射強度調整ハンドル７、遊技球は、遊技球１７、遊技領域は、遊技面１９、発射手段は、遊技球発射装置５１、遊技機は、パチンコ機１、固定部材は、固定部材３９、可動部材は、回転操作部材４１、収納部は、収納部８７、保持部は、先端１０５Ａと、端部８５Ｂとで形成された部分、移動部は、外周面３５Ｂの最短部３５Ｅから最長部３５Ｆまでの間部３５Ｇが対応する。
【００７３】
以後、共通箇所の説明は、省略する。
請求項２の曲面形状は、外周面３５Ｂの最短部３５Ｅから最長部３５Ｆまでの間部３５Ｇの曲面形状が対応する。
【００７４】
請求項３の可動部材に形成される移動面は、尚書きの内容が対応し、固定部材に形成される移動面は、最短部３５Ｅから最長部３５Ｆまでの間部３５Ｇに位置する外周面３５Ｂが対応する。
【００７５】
請求項４の移動部は、外周面３５Ｂの最短部３５Ｅから最長部３５Ｆまでの間部３５Ｇの曲面形状が発射強度を強くする程、先端１０５Ａと外周面３５Ｂとの間が近くなる曲面形状にされていることが対応する。
【図面の簡単な説明】
【００７６】
【図１】遊技機としてのパチンコ機１を前面側から見た正面図である。
【図２】発射強度調整ハンドル７の外観図である。
【図３】発射強度調整ハンドル７の組み立て説明図である。
【図４】遊技球発射装置５１の斜視図である。
【図５】回転操作部材４１の正面図、右側面図、背面図である。
【図６】発射強度調整ハンドル７のＡ−Ａ断面図である。
【図７】収納部８７と間部３５Ｇの説明図である。
【図８】発射強度調整ハンドル７の外観図である。
【符号の説明】
【００７７】
１…パチンコ機、３…外枠、５…内枠、
７…発射強度調整ハンドル、９…遊技盤、１１…鍵飾り、
１３…停止ボタン、１５…特別図柄表示装置、１７…遊技球、
１９…遊技面、２３…始動口、２５…大入賞口、
２７…上受け皿、２９…スピーカ、３１…基部、
３３…椀状部、３５…後側支持部材、３５Ａ…縁部、
３５Ｂ…外周面、３５Ｃ…丸め加工部、３５Ｄ…中心軸、
３５Ｅ…最短部、３５Ｆ…最長部、３５Ｇ…間部、３７…前側支持部材、
３７Ａ…縁部、３７Ｂ…金属部、３９…固定部材、
４１…回転操作部材、４３…遊技機取付面、４５…ネジ止め穴、
４６…開口、４７…回転軸、４７Ａ…一端部、
４７Ｂ…周溝、４７Ｃ、４７Ｅ…半月キー、４７Ｄ…他端部、
４９…軸孔、５１…遊技球発射装置、５２…支持部材、
５３…支持台、５５…発射機構、５７…発射モータ、
５９…発射装置基板、６３…発射強度調整機構、６５…引張スプリング、
７１、７１ａ、７５…間隔保持凸部材、７１Ａ、７５Ａ…先端部、
７１Ｂ、７５Ｂ、…ビス穴、７３、７７…間隔保持凹部材、７３Ａ、７７Ａ…凹部、
７３Ｂ、７７Ｂ…通し穴、７９、８１…ビス、８３…回転板、
８５…帯リング、８５Ａ…内周面、８５Ｂ…端部、
８７…収納部、８９、９１…操作部、８７Ａ…入口、９３…軸止穴、
９５…Ｅ字止め輪、９７、９９、１０１…開口、１０３…指当り覆い部、
１０３Ａ…壁部、１０５…突起部、１０５Ａ…先端、
１０５Ｂ…挿入口、１０７…球抜き突起部材、１０７Ａ…一端、
１０９…周溝、１１１…境界部、ｄｔ…距離
【図１】
0004633372.tif 000002
【図２】
0004633372.tif 000003
【図３】
0004633372.tif 000004
【図４】
0004633372.tif 000005
【図５】
0004633372.tif 000006
【図６】
0004633372.tif 000007
【図７】
0004633372.tif 000008
【図８】
0004633372.tif 000009